(57)【要約】【課題】薄型の吸収性物品で且つ全体が軟質なものであっても、大腿部から両側縁部に作用する変形力が中央領域に伝搬するのを防止でき、前記中央領域に大きな皺や縒れが発生するのを防止できる。【解決手段】薄型の吸収シート１の側縁部１ａの内側において列Ｌ１に沿って第１群の圧着部２１と２３を間隔を開けて形成する。さらに前記側縁部１ａに沿って、圧着部で囲まれた非圧着の区画領域２４を配列する。大腿部から側縁部１ａに作用する変形力を、圧着部と非圧着部および区画領域において吸収、分散させることにより中央領域に大きな皺等が発生するのを防止できる。また側縁部１ａに沿って小さな圧着部が間隔を開けて配列しているため、股間部に沿って容易に変形でき、身体に剛直感を与えることもない。【選択図】　　図４
2004008596.tif 000002
【特許請求の範囲】
【請求項１】
複数のシートが重ねられ、縦方向に延びる左右両側縁部、および前縁部及び後縁部を有して縦長に形成されている吸収性物品において、
吸収性物品を縦方向に二分する横方向中心線を横切って縦方向に延びる所定長の範囲には、前記両側縁部の内側に第１群の複数の圧着部が設けられており
前記第１群の複数の圧着部は、所定の間隔を開けて前記両側縁部の形状に倣って一列に配列しており、前記圧着部が成す列の両側には、複数の圧着部のその配列方向に沿って延びる非圧着領域がそれぞれ設けられていることを特徴とする吸収性物品。
【請求項２】
前記列内で隣り合う圧着部の間隔が０．５〜５ｍｍであり、前記圧着部の底面の面積が、０．２５ｍｍ２以上で６ｍｍ２以下である請求項１記載の吸収性物品。
【請求項３】
前記第１群の少なくとも一部では、底面の形状が円、長円、あるいは多角形の圧着部が、前記列に沿って一定のピッチで配列している請求項１または２記載の吸収性物品。
【請求項４】
前記両側縁部は凹曲線形状であり、前記第１群の圧着部が成す前記列も凹曲線形状である請求項１ないし３のいずれかに記載の吸収性物品。
【請求項５】
前記第１群の圧着部よりも内側に、前記被圧着領域を挟んで第２群の複数の圧着部が設けられている請求項１ないし４のいずれかに記載の吸収性物品。
【請求項６】
前記第２群の圧着部の面積は、０．２５ｍｍ２以上で６ｍｍ２以下である請求項５記載の吸収性物品。
【請求項７】
複数のシートが重ねられ、縦方向に延びる左右両側縁部、および前縁部及び後縁部を有して縦長に形成されている吸収性物品において、
前記両側縁部の内側には、複数の圧着部で囲まれた所定面積の非圧着の区画領域が設けられており、吸収性物品を縦方向に二分する中心線を横切って縦方向に延びる所定長の範囲で、複数の前記区画領域が前記両側縁部に沿って並んでいることを特徴とする吸収性物品。
【請求項８】
前記両側縁部に沿って並ぶ複数の前記区画領域は、同じ形状で且つ同じ面積である請求項７記載の吸収性物品。
【請求項９】
前記区画領域を囲む複数の圧着部の少なくとも一部は、底面の形状が円、長円、あるいは多角形である請求項７または８記載の吸収性物品。
【請求項１０】
前記圧着部の底面の面積は、０．２５ｍｍ２以上で６ｍｍ２以下である請求項７ないし９のいずれかに記載の吸収性物品。
【請求項１１】
一方の側縁部の内側に位置する圧着部と、他方の側縁部の内側に位置する圧着部とで挟まれた非圧着領域の横方向での距離の最小値が２０以上である請求項１ないし１０のいずれかに記載の吸収性物品。
【請求項１２】
一方の側縁部の内側に位置する圧着部と、他方の側縁部の内側に位置する圧着部とで挟まれた非圧着領域において、最表面に現われるシートに、縦方向に延びる畝と溝が横方向に交互に配列されている請求項１ないし１１のいずれかに記載の吸収性物品。
【発明の詳細な説明】
【０００１】
【発明の属する技術分野】
本発明は、パンティライナーと称されるおりものや経血を吸収できる吸収シート、失禁患者用の尿吸収シート、さらには経血が少ない日に用いられる経血吸収ナプキンなどとして使用される吸収性物品に係り、特に下着に接着して使用するのに適した吸収性物品に関する。
【０００２】
【従来の技術およびその課題】
薄型の吸収性物品としてパンティライナーと称されるおりものや経血を吸収できる吸収シートがある。この吸収シートは、下着のクロッチ部の内側に感圧接着層を介して接着固定して着用する。この従来の吸収シートは、液不透過性の裏面シートと、スパンレース不織布などで形成された表面シートとの間に、積層ティッシュペーパ、エアレイドパルプなどの薄型の吸収層が介在している構造が一般的である。
【０００３】
この種の吸収シートは、薄型で、着用者が下着と同等の軟質感を感じることができるものが好まれているが、また、着用した状態での大腿部の動きにより縒れや変形が生じ難くして、受液側の表面が常に身体の排泄部に密着した状態を維持できることが必要である。
【０００４】
しかし、この種のパンティライナーは、通常使用される生理用ナプキン等に比べて一日に交換する頻度は少なく、一枚のパンティライナーを長時間使用するのが一般的である。したがって使用時の大腿部の動きによってパンティーライナーに伝わる変形応力が長時間作用し続けることにより、縒れや変形が生じやすくなる。このような皺や変形が顕著になると、表面積が実質的に減少して液の吸収容量が低下し、また身体の排泄部との密着性が低下して、排泄液を確実に捕捉できない、などの問題が生じやすい。
【０００５】
このような変形に着目したものとして、例えば特開２００１−２７６１２６号公報には、表面シートと吸収体との間に弾性層が挟持されたパンティライナーが開示されている。また、このパンティライナーは、前記表面シートと吸収層および弾性層と裏面に位置する防漏シートとが、前記パンティーライナーの両側縁部よりも内側に形成された複数の圧縮部で圧縮固定されている。このパンティライナーは、前記弾性層の弾性力を利用して、着用状態に生じた縒れに弾性的な復元力を与えて、前記縒れが生じるのを防止し、これによりフィット性を向上させようとしているものである。
【０００６】
しかし、前記のように弾性層を有するものであっても、体液を吸収した状態で両側方から繰り返して変形力が作用すると、その力が直接に中央領域まで伝搬されるため、パンティライナーの両側縁部から中央領域にかけて大きな皺や変形が生じるのを避けることが難しい。
【０００７】
また、前記公報に記載のものは、パンティーライナーの両側縁部よりも内側に比較的面積の大きい圧縮部が広い間隔を開けて形成されているため、圧縮部と圧縮部との間から前記皺や変形が中央領域に伝搬されやすい。また個々の前記圧縮部が比較的大きい面積を有しているため、この圧縮部を剛直なものとすると、この圧縮部が女性の性器に当たって違和感を生じるおそれがあり、装着感触が劣るものとなりやすい。
【０００８】
本発明は上記従来の課題を解決するものであり、全体の軟質感を妨げることなく、しかも大腿部からの圧力が中央領域に伝搬されにくくして、縒れや皺などの変形が生じ難くした吸収性物品を提供することを目的としている。
【０００９】
【課題を解決するための手段】
第１の本発明は、複数のシートが重ねられ、縦方向に延びる左右両側縁部、および前縁部及び後縁部を有して縦長に形成されている吸収性物品において、
吸収性物品を縦方向に二分する横方向中心線を横切って縦方向に延びる所定長の範囲には、前記両側縁部の内側に第１群の複数の圧着部が設けられており
前記第１群の複数の圧着部は、所定の間隔を開けて前記両側縁部の形状に倣って一列に配列しており、前記圧着部が成す列の両側には、複数の圧着部のその配列方向に沿って延びる非圧着領域がそれぞれ設けられていることを特徴とするものである。
【００１０】
この吸収性物品が下着のクロッチ部の内面に接着されるなどして着用されると、大腿部からの圧力が両側縁部に作用する。前記両側縁部の内側には、両側縁部に倣って列を成す圧着部が間隔を開け且つその両側に非圧着領域を有するように配置されているため、列に沿う圧着部と圧着部との中間に位置する非圧着部および列の両側に延びる非圧着領域と、個々の圧着部との間の剛性差や厚みの差によって、圧着部と、前記非圧着部および非圧着領域との間に細かな変形が生じるが、前記圧力のエネルギーは、この細かな変形により吸収されるため、外部からの圧力が中央領域に大きな影響を与え難くなる。よって、中央領域に大きな皺や縒れなどの変形が生じるのを防止できる。
【００１１】
前記のように、両側縁部に作用した圧力を両側縁部の内側の細かな変形で吸収するためには、前記列内で隣り合う圧着部の間隔が０．５〜５ｍｍであり、前記圧着部の底面の面積が、０．２５ｍｍ２以上で６ｍｍ２以下であることが好ましい。
【００１２】
また前記面積の範囲内で、前記第１群の少なくとも一部では、底面の形状が円、長円、あるいは多角形の圧着部が、前記列に沿って一定のピッチで配列しているものが好ましい。ただし個々の圧着部は前記形状に限られず、星型、月型などの各種形状であってもよい。
【００１３】
本発明では、前記両側縁部は凹曲線形状であり、前記第１群の圧着部が成す前記列も凹曲線形状であることが好ましい。
【００１４】
この場合に、大腿部からの圧力は凹曲線形状の縁部に作用するが、圧着部が前記凹曲線に沿って配列しているため、前記大腿部からの圧力を凹曲線に沿って並ぶ個々の圧着部および圧着部間の非圧着部にて吸収できるようになる。
【００１５】
さらに、前記第１群の圧着部よりも内側に、前記非圧着領域を挟んで第２群の複数の圧着部が設けられていることが好ましい。
【００１６】
この構造では、列を成している第１群の圧着部を超えて中心方向へ変形力が作用したときに、第２群の圧着部によってこの変形の伝搬を阻止でき、中央領域での皺や縒れの発生をさらに防止しやすくなる。
【００１７】
この第２群の圧着部の面積も、０．２５ｍｍ２以上で６ｍｍ２以下であることが好ましい。
【００１８】
第２の本発明は、複数のシートが重ねられ、縦方向に延びる左右両側縁部、および前縁部及び後縁部を有して縦長に形成されている吸収性物品において、
前記両側縁部の内側には、複数の圧着部で囲まれた所定面積の非圧着の区画領域が設けられており、吸収性物品を縦方向に二分する中心線を横切って縦方向に延びる所定長の範囲で、複数の前記区画領域が両側縁部に沿って並んでいることを特徴とするものである。
【００１９】
この吸収性物品では、大腿部から両側縁部に圧力が作用したときに、個々の圧着部と、隣接する圧着部と圧着部との間に形成されている非圧着部との剛性の差による細かな変形により、応力が中央領域に伝搬するのを防止できるのみならず、複数の圧着部で囲まれた非圧着の区画領域では、限られた領域内で各シートが弾性変形可能な状態となっているため、この区画領域が外部からの圧力に対して緩衝機能を発揮し、中央領域の皺や縒れなどの変形が伝播しにくくなる。
【００２０】
この場合に、前記両側縁部に沿って並ぶ複数の前記区画領域は、同じ形状で且つ同じ面積であることが好ましい。
【００２１】
このように構成すると、個々の区画領域が均等な緩衝作用を発揮し、また外観のデザイン的にも良好なものとなる。
【００２２】
この場合も、前記区画領域を囲む複数の圧着部の少なくとも一部は、底面の形状が円、長円、あるいは多角形であることが好ましく、また前記圧着部の底面の面積は、０．２５ｍｍ２以上で６ｍｍ２以下であることが好ましい。
【００２３】
また、一方の側縁部の内側に位置する圧着部と、他方の側縁部の内側に位置する圧着部とで挟まれた非圧着領域の横方向での距離の最小値が２０以上であると、前記圧着部が女性の性器に剛直感を与え難くなる。また、前述した緩衝作用を考慮すると、おりもの吸収用のライナーとして使用される場合に、前記距離の最小値は、２０〜３５ｍｍであることが好ましい。
【００２４】
さらに、一方の側縁部の内側に位置する圧着部と、他方の側縁部の内側に位置する圧着部とで挟まれた非圧着領域において、最表面に現われるシートに、縦方向に延びる畝と溝が横方向に交互に配列されているものにおいて本発明は好適である。
【００２５】
前記のように表面の少なくとも中央領域に畝溝の構造部を有していると、中央領域が軟質で、身体への当たりの刺激を少なくできる。しかし、このように中央領域が軟質なものであっても、両側縁部に作用する圧力が前記圧着部で吸収されやすいため、軟質な中央領域に大きな皺が縒れが発生するのを防止しやすい。
【００２６】
【発明の実施の形態】
図１は本発明の１実施の形態として薄型の吸収性物品であるパンティーライナーと称されるおりものや経血を吸収する吸収シート１を表面側を手前に向けて示す平面図、図２は図１に示す吸収シートを縦方向に二分する横方向中心線Ｏｘ−Ｏｘで切断してＩＩ矢視方向から見た断面図のうちの右半分を示す半断面図、図３は図２に示す半断面図のうちの圧着部の構造を示す拡大断面図、図４（Ａ）（Ｂ）は側方固定部での圧着部の配列パターンを示す図１の部分拡大図である。
【００２７】
以下の実施の形態で示す吸収シート１は、女性が下着のクロッチ部の内面に固着させて下着と一体化したものとして使用する薄型の吸収性物品であり、女性が排泄するおりものや生理開始時の経血などを吸収することを目的としているものである。また本発明の薄型の吸収性物品は、女性が下着のクロッチ部の内面に固着させて使用し尿失禁時の微少な尿を吸収するものとしても使用できる。
【００２８】
図１に示されるこの吸収シート１の平面形状は縦長形状であり、縦方向に延びる右側縁部１ａと左側縁部１ｂと、縦方向の両側に向けられる端部である前縁部１ｃおよび後縁部１ｄを有している。右側縁部１ａと左側縁部１ｂは、凹曲線形状であり、吸収シート１を下着のクロッチ部の内側に接着したときに、前記右側縁部１ａと左側縁部１ｂとが、下着の脚開口部の縁部に沿うようになる。また、前縁部１ｃと後縁部１ｄは、凸曲線形状である。
【００２９】
前記吸収シート１の平面形状は、縦方向に延びる縦方向中心線Ｏｙ−Ｏｙを介して左右対称形状であり、また吸収シート１を縦方向に二分する横方向中心線Ｏｘ−Ｏｘを介して前後に対称形状である。しかし、この種の吸収シート１としては、前記横方向中心線Ｏｘ−Ｏｘを挟んで前方部分と後方部分が非対称の形状のものも有り得る。この非対称形状の吸収シートであっても以下の構造を採用することが可能である。
【００３０】
図２に示すように、前記吸収シート１の本体部２は、裏面シート３、前記裏面シート３の上に設置された中間シート４、および前記中間シート４の上に設置された表面シート５との積層体により構成されている。
【００３１】
図２に示すように、前記本体部２の裏面すなわち前記裏面シート３の外表面には、下着に固着するための感圧接着剤層６が設けられている。この感圧接着剤層６は、幅方向（Ｘ方向）へ間隔を開け、縦方向（Ｙ方向）へ直線的に帯状に延びるように平行に形成されている。そして、使用前は、前記感圧接着剤層６の外面が離型シート７で覆われている。
【００３２】
前記裏面シート３、中間シート４、表面シート５および離型シート７は全て同じ平面形状である。製造過程では、裏面シート３、中間シート４、表面シート５および離型シート７が重ねられた状態でトリミングされ、図１に示すように、右側縁部１ａ、左側縁部１ｂ、前縁部１ｃおよび後縁部１ｄを有する形状となる。
【００３３】
この実施の形態では、縦方向の寸法Ｌａの範囲で前記右側縁部１ａと左側縁部１ｂが凹曲線形状であり、前記Ｌａの範囲では、前記右側縁部１ａの内側に右側方固定部１０が形成されている。この右側方固定部１０では、前記右側縁部１ａの凹曲線に倣うようにして圧着部が配列している。同様に、前記Ｌａの範囲で、前記左側縁部１ｂの内側に、前記左側縁部１ｂの凹曲線に倣うようにして圧着部が配列した左側方固定部１１が形成されている。
【００３４】
前記前縁部１ｃの内側には、前記前縁部１ｃの凸曲線形状に倣うようにして圧着部が配列した前方固定部１２が設けられ、後縁部１ｄの内側には、前記後縁部１ｄの凸曲線形状に倣うようにして圧着部が配列した後方固定部１３が設けられている。
【００３５】
前記本体部２を形成している裏面シート３、中間シート４および表面シート５は、液の透過および吸収を妨げないように網状や櫛状またはスパイラル状などのパターンで塗布されたホットメルト型接着剤によって互いに接着固定されているとともに、前記右側方固定部１０、左側方固定部１１、前方固定部１２および後方固定部１３において、シートどうしが加熱され圧着されて固定されている。
【００３６】
前記裏面シート３は、液不透過性で、例えば坪量が２１〜２５ｇ／ｍ２の範囲の薄いポリエチレンフィルムである。具体的には、無機フィラーを含有したポリエチレン樹脂を溶融押し出しし、さらに延伸させて前記無機フィラーを含むことにより多数の微小な通気孔が形成されたものである。あるいは、前記裏面シート３が、疎水性のスパンボンド不織布またはポイントボンド不織布、あるいはこれら不織布に通気性の樹脂フィルムがラミネートされたものであってもよい。
【００３７】
中間シート４は、液吸収機能を有する例えばスパンレース不織布であり、親水性繊維として繊度が１．３８ｄｔｅｘで繊維長が４４ｍｍのレーヨン繊維を５５質量％、繊度が１．４３ｄｔｅｘで繊維長が３８ｍｍのポリエステル繊維を３０質量％、繊度が１．６５ｄｔｅｘで繊維長が４５ｍｍのポリプロピレン繊維を１５質量％含むものである。また目付けは３０〜５０ｇ／ｍ２である。
【００３８】
前記表面シート５は、第１表面シート５ａと第２表面シート２の２枚の透液性の不織布で形成されている。
【００３９】
第１の表面シート５ａと第２の表面シート５ｂは、共に繊度が１．９８〜２．６４ｄｔｅｘのポリプロプレン樹脂繊維で形成されたスパンボンド不織布であり、第１の表面シート５ａは目付けが２０〜２５ｇ／ｍ２の範囲で、第２の表面シート５ｂは、目付けが目付けが２０〜３０ｇ／ｍ２の範囲で調整される。またこのスパンボンド不織布に多数の液透過孔を形成したものであってもよい。
【００４０】
図１に示すように、前記第１の表面シート５ａには、縦方向中心線Ｏｙ−Ｏｙを中心とする所定幅Ｗａの範囲で、縦方向に帯状に延びる畝溝成形領域１５が設けられている。図２に示すように、前記畝溝成形領域１５では、縦方向の全長に延びる畝部１５ａと同じく縦方向の全長に延びる溝部１５ｂとが、横方向に一定のピッチで交互に繰り返すように形成されている。
【００４１】
前記畝部１５ａの高さ、すなわち畝溝成形領域１５での第１の表面シート５ａの全体の高さ寸法から、第１の表面シート５ａの厚みを引いた寸法は、０．３〜２ｍｍの範囲であり、畝部１５ａのピッチと溝部１５ｂのピッチは、１〜３ｍｍの範囲である。また、畝溝成形領域１５の幅寸法Ｗａは、１５〜３５ｍｍである。
【００４２】
第１の表面シート５ａにおいて、畝溝成形領域１５が、中央部にて所定幅Ｗａの範囲で且つ縦方向の全長に延びていることにより、女性の性器へ接触させたときの刺激を低減でき、着用感に優れたものとなる。
【００４３】
第２の表面シート５ｂはその全面が畝溝成形領域１６となっている。図２および図３に示すように、前記第２の表面シート５ｂの畝溝成形領域１６においても、縦方向に延びる畝部１６ａと縦方向に延びる溝部１６ｂとが、横方向に一定のピッチで交互に繰り返すように形成されている。前記第２の表面シート５ｂの畝溝成形領域１６での畝部１６ａの高さ寸法の好ましい範囲、および畝部１６ａのピッチと溝部１６ｂのピッチの好ましい範囲は、前記第１の表面シート５ａの畝溝成形領域１５ａと同じである。
【００４４】
このように第２の表面シート５ｂの全面に畝溝成形領域１６を設けることにより、本体部２全体を薄型にし、中間シート４を密度の高い構造にした場合でも、表面側でのクッション性を高めることができる。また、第１の表面シート５ａと第２の表面シート５ｂに畝溝成形領域１５，１６を設けたことにより、吸収シート１の中央領域を軟質にでき、この部分が下着のクロッチ部の変形に追従しやすくなる。よって、女性の性器への密着度を高め、また着用中に股間部に違和感を感じにくくなる。
【００４５】
前記畝溝成形領域１５と１６の成形は、畝溝形状に応じた凹凸が形成された一対のロールを噛み合わせ、１２０℃程度に加熱したロール間に前記スパンボンド不織布を供給することにより行われる。この加熱および挟圧により、不織布に畝部と溝部とが賦形される。
【００４６】
図４（Ａ）（Ｂ）に拡大して示すように、前記右側方固定部１０は、３種類の大きさの圧着部を配列させることにより形成されている。この圧着部は、平面形状が小径の円形の第１の圧着部２１、直径が前記第１の圧着部２１よりもやや大きい円形の第２の圧着部２２、および平面が月形状の第３の圧着部２３とを有している。
【００４７】
この第１の圧着部２１、第２の圧着部２２および第３の圧着部２３は熱エンボス加工により形成される。すなわち、裏面シート３の外面に、表面が平滑なロールが当てられ、第１の表面シート５ａ側から、前記各圧着部のパターンに応じた突起を有するエンボスロールが当てられ、本体部２が１２０℃以上に加熱された前記ロール間に挟圧されることにより前記熱エンボス加工が行われる。
【００４８】
図２と図３には、前記第１の圧着部２１の断面図が示されている。この断面図に示されるように、第１の圧着部２１の底面２１ａは、前記熱エンボス加工により平坦化されている。また、裏面シート３、中間シート４および表面シート５のそれぞれが熱可塑性材料を含んでいるため、前記底面２１ａでは前記熱可塑性材料が溶融し、繊維の凹凸が現れない程度に平滑化され、底面２１ａの表面はほぼフィルム面と同等となっている。
【００４９】
なお、前記のように底面２１ａが平滑なフィルム面となるためには、表面シート５に熱可塑性材料が含まれていることが好ましい。ただし、前記圧着部の底面２１ａを平滑なフィルム面とすることにこだわらなければ、表面シート５に熱可塑性材料が含まれていなくてもよい。例えばセルロース繊維などから成る熱圧着が不可能な表面シート５を用いる場合に、その下面をホットメルト型接着剤で下層に接着して熱エンボス加工を施すことによっても、剛性の高い前記圧着部を形成することができる。
【００５０】
これは第２の圧着部２２と第３の圧着部２３においても同じであり、第２の圧着部２２の底面２２ａも、円形で且つ表面が平滑化することが可能であり、第３の圧着部２３の底面２３ａも、月形状で且つ表面が平滑なものとすることが可能である。
【００５１】
図４（Ａ）に示すように、前記右側方固定部１０では、右側縁部１ａの凹形状に倣う列Ｌ１に沿って、第１群の複数の圧着部が一列に配列している。この第１群の複数の圧着部では、第１の圧着部２１と第３の圧着部２３が規則的に配列している。前記第１群の圧着部が配列する列Ｌ１は、前記右側縁部１ａと相似の凹曲線形状であり、その曲率半径は１２０〜３００ｍｍである。また、図３に示すように右側縁部１ａから第１の圧着部２１の底面２１ａの縁までの幅寸法、すなわち右側縁部１ａから右側方固定部１０までの間の非圧着領域の幅寸法Ｗｂは１〜８ｍｍ程度である。
【００５２】
この実施の形態での前記第１群の圧着部は、前記列Ｌ１に沿って、３個の第１の圧着部２１と１個の第３の圧着部２３が、列Ｌ１に沿って一定のピッチで間隔を開けて繰り返して一列に配列するパターンとなっている。
【００５３】
また、右側方固定部１０では、前記第１群の圧着部の列Ｌ１の内側に、第２群の圧着部が列Ｌ２に沿って配列している、この第２群の圧着部では、前記列Ｌ２に沿って前記第１の圧着部２１と第２の圧着部２２が規則的に配列している。この実施の形態での第２群の圧着部は、５個の第１の圧着部２１と１個の第２の圧着部２２とが列Ｌ２に沿って規則的に繰り返して配列することにより形成されている。また第２群の圧着部を構成する第２の圧着部２２は、第１群の圧着部を構成する月形状の第３の圧着部２３に隣接している。
【００５４】
前記第２群の圧着部が配列している前記列Ｌ２は、第２の圧着部２２と第２の圧着部２２との間で縦方向中心線Ｏｙ−Ｏｙに向く突曲線Ｒ１が縦方向に繰り返す形状であり、この突曲線Ｒ１上では、前記第１の圧着部２１が一定のピッチで間隔を開けて配列している。
【００５５】
そして、前記列Ｌ１に沿って配列している第１群の圧着部である前記第１の圧着部２１および第３の圧着部２３と、前記突曲線Ｒ１に沿って配列している第２群の圧着部である第１の圧着部２１および第２の圧着部２２とで囲まれた部分に区画領域２４が形成されている。この区画領域２４では、裏面シート３と、中間シート４と、第１の表面シート５ａおよび第２の表面シート５ｂとが、エンボス加工により圧着されていない非圧着状態で存在している。ただし前述のように、前記区画領域２４内では、前記裏面シート３と、中間シート４と、第１の表面シート５ａおよび第２の表面シート５ｂのそれぞれが、網状や櫛状またはスパイラル状などのパターンで塗工されたホットメルト接着剤により接着されている。
【００５６】
前記列Ｌ２では、前記突曲線Ｒ１が縦方向に繰り返して形成されているため、右側方固定部１０では、同じ面積の複数の前記区画領域２４が、前記側縁部１ａに沿って繰り返して設けられている。また隣接する区画領域２４間には第２の圧着部２２および第３の圧着部２３が位置しており、区間領域２４と区画領域２４は、間に圧着部を挟んで隣接して形成されている関係となっている。
【００５７】
図３に示す第１の圧着部２１、第２の圧着部２２および第３の圧着部２３のそれぞれの底部での横方向の幅寸法Ｗｃは、前記畝部１５ａのピッチと同じかそれ以下であり、Ｗｃは０．５〜２．５ｍｍの範囲であることが好ましく、圧着部の底面の面積は０．２５〜６ｍｍ２の範囲であることが好ましい。圧着部の横幅寸法が前記範囲で且つ面積が前記範囲内であり、且つ畝部１５ａのピッチ以下であると、圧着部の存在が肌に感じにくくなる。本発明では、第１の表面シート５ａの全面に畝部１５ａと溝部１５ｂが形成されるのを妨げないが、このような場合に圧着部の横幅寸法が前記範囲内であれば、圧着部の存在によって畝部１５ａが潰される確率が低くなり、圧着部の存在を肌で感じにくくなる。
【００５８】
また列Ｌ１に沿う第１群の圧着部の間隔δ、および列Ｌ２に沿う第２群の圧着部の間隔δ、すなわち前記列Ｌ１に沿って隣接する圧着部間に位置する非圧着部１０ａの寸法δ、および列Ｌ２に沿って隣接する圧着部間に位置する非圧着部１０ｂの寸法δは０．５〜５ｍｍ程度が好ましい。また、第１群の圧着部と第２群の圧着部との横方向の距離Ｗｄは、最大の場所で３〜８ｍｍが好ましく、前記区画領域２４の面積は１５〜５０ｍｍ２の範囲が好ましい。この範囲であれば、区画領域２４の弾性変形力により、両側縁部１ａ，１ｂに作用した力が中央部分に伝搬しにくくなる。
【００５９】
ここで、さらに拡大した図４（Ｂ）を参照して列Ｌ１に沿って配列する第１群を成す複数の圧着部に着目すると、前述のように、圧着部はＬ１に沿って一列に配列されているとともに、列方向に隣接する圧着部間には幅寸法がδの非圧着部１０ａが存在している。そして、列Ｌ１に沿って並ぶ３個の第１の圧着部２１の左右両側には、前記３個の第１の圧着部２１の並び方向に沿って（ｉ）および（ｉｉ）で示す方向に延びる非圧着領域が存在しており、個々の第１の圧着部２１は横方向において非圧着領域内で独立して存在するものとなっている。
【００６０】
同様に、第２群を成す複数の圧着部に着目すると、前述のように、圧着部は列Ｌ２の突曲線Ｒ１に沿って一列に配列されているとともに、列方向に隣接する圧着部間には幅寸法がδの非圧着部１０ｂが存在している。そして、突曲線Ｒ１に沿って並ぶ５個の第１の圧着部２１の左右両側には、前記５個の第１の圧着部２１の並び方向に沿って（ｉｉｉ）および（ｉｖ）で示す方向に延びる非圧着領域が存在しており、第２群においても個々の第１の圧着部２１は横方向において非圧着領域内で独立して存在するものとなっている。
【００６１】
すなわち、この実施の形態では、第１群の複数の圧着部のうちのいずれか複数個の圧着部の両側に、その圧着部間に沿って延びる非圧着領域が形成されて、この非圧着領域内で独立して複数の圧着部群が独立して位置している。そして独立している圧着部群が、前記列Ｌ１に沿って複数箇所間欠して配列しているものとなる。これは前記列Ｌ２に沿う第２群の複数の圧着部においても同じである。
【００６２】
なお、左側方固定部１１での各圧着部の配列状態は、右側方固定部１０での前記各圧着部の配列状態と左右対称である。図１に示すように、右側方固定部１０での第２群の第１の圧着部２１と、左側方固定部１１での第２群の第１の圧着部２１との間の間隔Ｗｅは、横方向中心線Ｏｘ−Ｏｘの位置で最も狭くなっており、この最も狭い間隔Ｗｅは２０〜３５ｍｍである。前記範囲未満であると、右側方固定部１０と左側方固定部１１のそれぞれの圧着部が陰唇などに当たりやすくなり着用感を損なうおそれがある。前記範囲を超えると、列Ｌ１に沿って配列している第１群の圧着部と、Ｌ２に沿って配列している第２群の圧着部との間隔が狭くなり、区画領域２４の面積が狭くなりすぎて、区画領域２４において十分な緩衝効果を得られなくなる。
【００６３】
図１に示すように、前方固定部１２では、吸収シート１の前縁部１ｃの突曲線に倣う列に沿って前記第１の圧着部２１と第２の圧着部２２が規則的に並んでいる。後方固定部１３は、前記前方固定部１２と対称であり、同様に第１の圧着部２１と第２の圧着部２２とが規則的に配列して形成されている。前方固定部１２と後方固定部１３に設けられた各圧着部の底面での好ましい幅寸法Ｗｃならびに面積および、配列方向での好ましい間隔寸法δなどは、前記右側方固定部１０および左側方固定部１１と同じである。
【００６４】
この吸収シート１を使用するときには、裏面側の離型シート７を剥がし、感圧接着剤層６を介して下着のクロッチ部の内側に接着固定して着用する。
【００６５】
この吸収シート１は、両側縁部１ａと１ｂが凹曲線形状であるため、下着のクロッチ部に装着したときに、両側縁部１ａ，１ｂの凹曲線が、下着の脚開口部の縁にほぼ一致するようになる。
【００６６】
吸収性シート１が下着に装着された使用状態では、股間部の動きや大腿部による締め付け力によって、下着のクロッチ部が変形する。ただし、この吸収シート２は全体が薄型で、裏面シート３、中間シート４および表面シート５が軟質な材質で形成されているため、吸収シート１全体が下着のクロッチ部の変形に追従しやすくなっており、股間部に違和感を生じ難くなっている。特に第２の表面シート５ｂでは全面に畝溝成形領域１６が設けられ、第１の表面シート５ａでは中央部に帯状の畝溝成形領域１５が形成されているため、吸収シート１の中央部分が軟質であり、この中央領域が下着の変形に追従しやすくなっている。また第１の表面シート５ａの畝溝成形領域１５が女性の性器に当たるため、女性の性器への接触がソフトである。
【００６７】
ただし、吸収シート全体が軟質であると、大腿部から両側縁部１ａ，１ｂに作用する締め付け圧力により、最初に両側縁部１ａ，１ｂに変形力が作用し、この変形力が吸収シートの中央領域に伝搬しやすく、その結果、畝溝成形領域を有している軟質な中央領域に大きな縒れや皺が発生するおそれがある。
【００６８】
しかし、この実施の形態の吸収シート１では、両側縁部１ａ，１ｂに倣う列Ｌ１に沿って、比較的小さい第１の圧着部２１と第３の圧着部２３が適度な間隔を開けて多数配列し、しかも図４（Ｂ）に示すようにＬ１に沿う複数個の第１の圧着部２１が非圧着領域内で独立して位置している。従って大腿部からの締め付け力などにより下着のクロッチ部の縁部と共に前記両側縁部１ａ，１ｂに変形力が作用すると、前記列Ｌ１に沿って存在している圧着部２１，２３と、その間に位置する非圧着部１０ａとの間の剛性差ならびに厚み差により、さらには列Ｌ１に沿って並ぶ複数の圧着部２１とその両側において（ｉ）（ｉｉ）で示すように延びる非圧着領域との剛性差ならびに厚み差により、圧着部２１，２３と非圧着部１０ａおよび前記非圧着領域との間に細かな変形が生じ、これにより前記変形圧力を吸収しまた分散できるようになる。したがって、両側縁部１ａ，１ｂに作用した変形力が吸収シート１の中央領域まで直接に伝搬されにくくなって、側方から作用する力によって中央領域に大きな縒れや皺が発生するのを防止できる。
【００６９】
前記のように、圧着部２１，２３と非圧着部１０ａとの剛性差ならびに厚み差、および列Ｌ１に沿って並ぶ複数の圧着部２１とその両側で（ｉ）（ｉｉ）で示すように延びる非圧着領域との剛性差ならびに厚み差で、側方からの変形力のエネルギーを分散させるためには、前記圧着部の底面での吸収シートの厚みと、非圧着部１０ａおよび前記非圧着領域での吸収シートの厚みの差が０．２ｍｍ以上であることが好ましい。またこの差の上限は特に規定されないが、薄型の吸収シートとするためには吸収シートの全体の厚みを３ｍｍ程度とすることが好ましいため、前記厚みの差の好ましい範囲は０．２〜３ｍｍである。
【００７０】
また前記吸収シート１の右側方固定部１０および左側方固定部では、前記列Ｌ１に沿って配列する第１群の圧着部よりも内側において列Ｌ２に沿って配列する第２群の圧着部が間欠的に存在している。よって第１群の圧着部で分散しきれなかった変形応力が列Ｌ２に作用した場合に、第２群を構成する圧着部２１，２２と、この圧着部の間に位置する非圧着部１０ｂ、さらには列Ｌ２に沿う圧着部２１の両側において（ｉｉｉ）（ｉｖ）で示すように延びる非圧着領域と、が前記と同様に変形エネルギーを分散させるように機能し、よって中央領域への変形力の伝搬を効果的に阻止できる。
【００７１】
さらに、間欠的な圧着部で囲まれた区画領域２４が、両側縁部１ａ，１ｂに沿って配列しているため、両側縁部１ａ，１ｂに作用した比較的大きな皺などの変形力は、前記区画領域２４において吸収されて緩和される。
【００７２】
すなわち、前記区画領域２４は、所定の面積で互いに独立しており、その内部では裏面シート３、中間シート４および表面シート５が圧着されることなく重ねられた状態である。したがって両側縁部１ａ，１ｂに比較的大きな変形力が与えられたときに、個々の区画領域２４内の限れらた範囲内で前記各シートが撓み、そして弾性復元力を発揮する。この限られた領域内での撓みおよび弾性復元力により、両側縁部１ａ，１ｂに作用した変形力が中央領域に伝搬するのを防止できる。
【００７３】
また、列Ｌ１に沿って配列している第１群の圧着部、および列Ｌ２に沿って配列している第２群の圧着部は、それぞれ比較的小さく、しかも間隔を開けて配列しているものであり、好ましくは個々の圧着部の横幅寸法Ｗｃが、畝部１５ａや畝部１６ａの配列ピッチよりも小さいものであるため、個々の圧着部が身体に剛直感を与えることがない。また小さな圧着部が側縁部１ａ，１ｂに沿って列をなして間欠的に配置され、しかもその両側には非圧着領域が位置して、前記列が非圧着領域内で独立して存在しているため、両側縁部１ａ，１ｂ近辺では吸収シート１そのものの剛性がさほど高くなく、吸収シート１の両側縁部１ａ，１ｂが股間部に沿って湾曲変形するのを妨げるものではない。よって、身体の股間部では吸収シート１が剛直感を与えることがない。
【００７４】
これは、仮に前記列Ｌ１に沿って直線的に延びる帯形状の圧着部、または直線状に延びる所定幅のローレットパターン形状の圧着部などが形成されているものと対比すると明らかである。前記直線形状の圧着部やローレットパターン形状の圧着部を有するものでは、両側縁部１ａ，１ｂが湾曲しにくく、そして身体に剛直感を与えるものとなるが、前記実施の形態の吸収シート１では、前記のように両側縁部１ａ，１ｂに作用する締め付け力のエネルギーを分散できる効果を有し、しかも身体に剛直感を与えないものとなる。
【００７５】
また、この吸収シート１は、前縁部１ｃと後縁部１ｄの内側に、前方固定部１２と後方固定部１３が設けられ、それぞれにおいて第１の圧着部２１と第２の圧着部２２が一定のピッチで間隔を開けて形成されている。よって前縁部１ｃと後縁部１ｄ付近においても吸収シート１が身体に剛直感を与えることがなく、しかも前縁部１ｃと後縁部１ｄに作用する下着の皺発生力やねじり力が前記と同様にして吸収され、分散されるようになる。
【００７６】
以下、各圧着部の配列パターンの変形例を説明する。以下の変形例において、圧着部のパターン以外のシート積層構造、畝溝構造など、およびその他の種々の好ましい条件等が、前記図１に示した吸収シート１と同じである。
【００７７】
図５に示す実施の形態の吸収シート１Ａは、右側方固定部１０と左側方固定部１１での圧着部の大きさおよび配列パターンが、図１に示す吸収シート１と同じである。ただし図５では、前方固定部１２と後方固定部１３の圧着部が設けられていない。なお、第１の表面シート５ａの畝溝成形領域１５は、図５において設けられていてもよいし、または設けられていなくてもよい。
【００７８】
図５に示す吸収シート１Ａでは、前方固定部１２と後方固定部１３での圧着部が無くても、両側方固定部１０と１１での圧着部のパターンを形成することにより、吸収シート１の両側縁部１ａ，１ｂに作用する締め付け力を吸収し分散させることができるため、吸収シートの中央領域に大きな皺や縒れなどが生じるのを効果的に防止できる。
【００７９】
図６に示す実施の形態の吸収シート１Ｂでは、右側方固定部１１０と左側方固定部１１１が、縦方向中心線Ｏｙ−Ｏｙを挟んで左右対称形状である。左側方固定部１１１のみを説明すると、この固定部１１１では、間欠線形状の圧着部２５が波状パターンで二列形成されており、それぞれの列の波状パターンが交叉して、前記間欠線形状の圧着部２５で囲まれた非圧着の区画領域２６が形成されている。複数の区画領域２６は左側縁部１ｂに倣うように前記左側縁部１ｂに沿って配列しており、個々の区画領域２６は面積が互いに同じとなっている。また隣り合う区画領域２６と区画領域２６は、圧着部２５を挟んで隣接している。この実施の形態でも、区画領域２６の面積の好ましい範囲などは、図１に示した区画領域２４と同じである。
【００８０】
さらに左側縁部１ｂに近い位置では、前記間欠線形状の圧着部２５の交叉位置に２つのドット状の圧着部２７が形成されている。したがって、前記間欠線形状の圧着部２５と、前記ドット状の圧着部２７を結ぶ線Ｌ３を設定すると、このＬ３上に位置する圧着部２５と圧着部２７が、図４に示した列Ｌ１に位置する圧着部と同様に第１群の圧着部を構成している。そして、Ｌ３に沿って配列している第１群の圧着部の内側に前記区画領域２６を挟んで第２群の圧着部が配置された構造である。
【００８１】
したがって、この吸収シート１Ｂにおいても、両側縁部１ａ，１ｂに作用する変形応力を吸収し分散することができ、中央領域において大きな皺や縒れが発生するのを防止できる。
【００８２】
また、図６に示す吸収シート１Ｂでは、前縁部１ｃの内側に前方固定部１１２が、後縁部１ｄの内側に後方固定部１１３が形成されている。この固定部１１２と１１３は、前縁部１ｃと後縁部１ｄに倣う曲線に沿って、前記第１の圧着部２１と第２の圧着部２２とが間隔を開けて形成されたものであり、その変形力の吸収、分散機能は前記吸収シート１と同じである。
【００８３】
図７に示す吸収シート１Ｃでは、右側方固定部２１０と左側方固定部２１１が、間欠線形状の波形状の圧着部２８を有しており、この圧着部２８で囲まれた部分が非圧着の区画領域２９となっている。右側方固定部２１０と左側方固定部２１１では、共に同じ面積の区画領域２９が両側縁部１ａ，１ｂに沿って複数配列している。
【００８４】
また、前方固定部１１２と後方固定部２１３では、前縁部１ｃと後縁部１ｄの内側において、前縁部１ｃと後縁部１ｄに沿って直線形状の圧着部３１，３１が形成されている。
【００８５】
この吸収シート１Ｃでも、前記と同様に両側縁部１ａ，１ｂに作用した変形力を、間欠的な圧着部２８および区画領域２９によって吸収分散でき、また両側縁部１ａ，１ｂ近辺を比較的軟質なものにできる。
【００８６】
図８に示す吸収シート１Ｄでは、右側縁部１ａの内側に右側方固定部３１０が形成され、左側縁部１ｂの内側に左側方固定部３１１が形成されている。両側方固定部３１０，３１１では、両側縁部１ａ，１ｂの凹曲線に倣う列Ｌ４に沿って小径の圧着部３５が間隔を開けて等ピッチで配置されて第１群の圧着部が形成されている。この第１群の圧着部は前記列Ｌ４に沿って一列に配列しており、この列に配列する第１の圧着部の両側には、前記列Ｌ４に沿って延びる非圧着領域が形成され、各圧着部３５は非圧着領域内で独立して存在している。
【００８７】
また、前記第１群の圧着部の内側には、同じく両側縁部１ａ，１ｂの凹曲線に倣う列Ｌ５に沿って小径の圧着部３６が間隔を開けて等ピッチで配列しており、これにより第２群の圧着部が形成されている。この圧着部３６も左右に非圧着領域が延びて、各圧着部３６は非圧着領域内で独立して存在している。
【００８８】
そして、前記第１群の圧着部と第２群の圧着部との間に、両群の圧着部を独立させるための非圧着領域３７，３７が、両側縁部１ａ，１ｂに沿って円弧状の帯状に延びて存在している。
【００８９】
この吸収シート１Ｄにおいても、両側縁部１ａ，１ｂに作用する変形応力が、列Ｌ４に沿う第１群の圧着部を構成する個々の圧着部３５の配列により吸収、分散され、さらにその内側の列Ｌ５に沿う第２群の圧着部を構成する個々の圧着部３６によりさらに吸収、分散される。特に、この実施の形態では、第１群の個々の圧着部３５の縦方向での配列周期と、第２群の個々の圧着部３６の縦方向での配列周期が、互いに半周期ずれている。よって第１群の圧着部３５と圧着部３５との間に、第２群の圧着部３６が位置する関係である。そのため、第１群の圧着部を超えて中央に向けて伝搬しようとする変形力を第２の圧着部によってさらに効果的に分散させることができる。
【００９０】
また前方固定部１２と後方固定部１３の構造は、図１に示す実施の形態の吸収シート１と同じである。
【００９１】
図９に示す吸収シート１Ｅは、右側縁部１ａの内側に右側方固定部４１０が形成され、左側縁部１ｂの内側に左側方固定部４１１が設けられている。この右側方固定部４１０と左側方固定部４１１は、図１の右側方固定部１０と左側方固定部１１において第２群の圧着部を形成せず、列Ｌ１に沿う圧着部２１と２３で、一列に配列した第１群の圧着部のみ形成し、さらにその内側にて規則的に点在する複数の圧着部２２を形成した構造である。よって区画領域は設けられていない。また、前方固定部と後方固定部が設けられていない。
【００９２】
この吸収シート１Ｅでは、列Ｌ１に沿って形成された第１群の圧着部によって、前記の各実施の形態に示すように第２群の圧着部を有するものほどの変形応力の吸収ならびに分散効果が顕著ではないものの、両側縁部１ａ，１ｂに作用する変形応力を吸収し、分散できる点で効果を発揮することができるものとなっている。
【００９３】
また、吸収シートの各層の構造も以下のような変形が可能である。
例えば、前記表面シート５が１層のみでしかも液の吸収能力を有しているものであってもよい。ただし、圧着部の底面を熱エンボス加工で平滑化してフィルム面状とするためには、前記表面シート５が熱可塑性繊維を含んでいることが必要である。例えば前記表面シート５は、スパンレース不織布であり、親水性繊維として繊度が１．３８ｄｔｅｘで繊維長が４４ｍｍのレーヨン繊維を５５質量％、繊度が１．４３ｄｔｅｘで繊維長が３８ｍｍのポリエステル繊維を３０質量％、繊度が１．６５ｄｔｅｘで繊維長が４５ｍｍのポリプロピレン繊維を１５質量％含むもので、目付けが３８ｇ／ｍ２程度のものを使用できる。また、前記のように圧着部の底部をフィルム面状にすることにこだわらなければ、コットン、レーヨン、パルプなどのセルロース繊維を主体とした、またはセルロース繊維のみからなる表面シート５を用いることも可能である。
【００９４】
この場合、中間シート４は、芯部がポリエステル、鞘部がポリエチレンの芯鞘型複合合成繊維を用いた、目付けが２５ｇ／ｍ２程度のエアースルー不織布で形成される。この中間シート４は、液を吸収するためのものとしてよりも、むしろクッション層として機能し、肌への当接圧力を弱くするように機能する。
【００９５】
また前記裏面シート３、中間シート４および表面シート５を、水解性の素材や、生分解性の素材で形成することもできる。これにより、使用後の吸収シートを水洗トイレットに廃棄できるようになる。
【００９６】
この場合、前記裏面シート３を、レーヨン繊維、コットン繊維、生分解性樹脂繊維などの繊維長が１〜１０ｍｍのものを用い、ＰＶＡ樹脂などの水溶性のバインダーを用いたスパンレース不織布または紙で形成できる。あるいは前記不織布や紙にＰＶＡ、加水分解可能なエステル系ウレタンなどをコーティングしたもの、またはポリ乳酸、ポリブチルサクシネート、ポリヒドロキシブチレートなどの生分解性樹脂のフィルムなどを使用できる。
【００９７】
また中間シート４は、レーヨン繊維、コットン繊維、生分解樹脂繊維などで繊維長が１ｍｍ〜１０ｍｍのもので形成されたスパンレース不織布や紙、またはこれにポリビニルアルコール（ＰＶＡ）樹脂などをバインダーとして加えたもの、あるいは少量のアクリル酸エステルやＰＶＡなどの水溶可能な材料をバインダーとして用いてケミカルボンディングしたエアレイド不繊布を使用できる。
【００９８】
また表面シート５も、前記の水解性のスパンレース不織布で構成できる。または前記水溶性の樹脂フィルムに多数の液透過孔を形成したものであってもよい。
【００９９】
なお吸収シートの大きさは、縦方向中心線Ｏｙ−Ｏｙでの長さが６０〜１４０ｍｍ、横方向中心線Ｏｘ−Ｏｘでの幅寸法は、４５〜６５ｍｍ程度である。
【０１００】
【発明の効果】
以上のように本発明の吸収性物品では、全体の軟質性を損なうことなく、しかも大きな皺や縒れが中央領域において発生するのを防止でき、常に液を受ける表面の面積を広く確保でき、身体の排泄部への密着性の良好なものとなる。また全体が軟質であるため、両側縁部から身体に剛直感を与えることも少ない。そして、特に、おりもの吸収用シートなどの薄い吸収性物品に好適なものとなる。
【図面の簡単な説明】
【図１】本発明の吸収性物品の第１の実施の形態である吸収シートを示す平面図、
【図２】図１のＩＩ−ＩＩ線の半断面図、
【図３】図２の断面図の一部拡大図、
【図４】（Ａ）は、側方固定部の圧着部の配列パターンを示す図１の部分平面図、（Ｂ）はさらにその一部の拡大平面図、
【図５】本発明の変形例を示す吸収シートの平面図、
【図６】本発明の変形例を示す吸収シートの平面図、
【図７】本発明の変形例を示す吸収シートの平面図、
【図８】本発明の変形例を示す吸収シートの平面図、
【図９】本発明の変形例を示す吸収シートの平面図、
【符号の説明】
１　吸収シート
１ａ　右側縁部
１ｂ　左側縁部
１ｃ　前縁部
１ｄ　後縁部
２　本体
３　裏面シート
４　中間シート
５　表面シート
５ａ　第１の表面シート
５ｂ　第２の表面シート
６　感圧接着剤層
７　離型シート
１０　右側方固定部
１１　左側方固定部
１２　前方固定部
１３　後方固定部
１５，１６　畝溝成形領域
１５ａ，１６ａ　畝部
１５ｂ，１６ｂ　溝部
２１，２２，２３　圧着部
２４　区画領域
２５　圧着部
２６　区画領域
２８　圧着部
２９　区画領域
【図１】
2004008596.tif 000003
【図２】
2004008596.tif 000004
【図３】
2004008596.tif 000005
【図４】
2004008596.tif 000006
【図５】
2004008596.tif 000007
【図６】
2004008596.tif 000008
【図７】
2004008596.tif 000009
【図８】
2004008596.tif 000010
【図９】
2004008596.tif 000011
【手続補正書】
【提出日】平成14年7月11日(2002.7.11)
【手続補正１】
【補正対象書類名】明細書
【補正対象項目名】請求項１１
【補正方法】変更
【補正の内容】
【請求項１１】
一方の側縁部の内側に位置する圧着部と、他方の側縁部の内側に位置する圧着部とで挟まれた非圧着領域の横方向での距離の最小値が２０ｍｍ以上である請求項１ないし１０のいずれかに記載の吸収性物品。
【手続補正２】
【補正対象書類名】明細書
【補正対象項目名】００２３
【補正方法】変更
【補正の内容】
【００２３】
また、一方の側縁部の内側に位置する圧着部と、他方の側縁部の内側に位置する圧着部とで挟まれた非圧着領域の横方向での距離の最小値が２０ｍｍ以上であると、前記圧着部が女性の性器に剛直感を与え難くなる。また、前述した緩衝作用を考慮すると、おりもの吸収用のライナーとして使用される場合に、前記距離の最小値は、２０〜３５ｍｍであることが好ましい。